(57)【特許請求の範囲】
【請求項１】
受信機を含む移動体装置へ視聴覚情報を無線方式で送信する方法であって、
畳み込み符号を使用して第１の視聴覚情報を符号化するステップと、
前記符号化された第１の視聴覚情報と、前記畳み込み符号を使用して符号化されない第２の視聴覚情報と、前記第２の視聴覚情報が前記畳み込み符号を使用して符号化されないことを示すＲ＝１符号化率を含む制御情報とを含む複数のパケットを生成するステップと、
前記複数のパケットを無線方式で送信するステップと、
を含み、
前記第１の視聴覚情報は、視聴覚通信規格の第１のバージョンに従って生成され、前記第２の視聴覚情報は、視聴覚通信規格のより新しいバージョンに従って生成され、
前記制御情報は、前記第２の視聴覚情報が前記畳み込み符号を使用して符号化されないと判断するために前記受信機によって使用可能であり、
前記畳み込み訂正符号を使用して符号化されない前記第２の視聴覚情報は、前記第２の視聴覚情報が前記第１の視聴覚情報よりも新しい視聴覚通信規格のバージョンより構成されることを前記受信機に示す、
ことを特徴とする方法。
【請求項２】
系統的ブロック符号を使用して前記第２の視聴覚情報を符号化するステップをさらに含む、
ことを特徴とする請求項１に記載の方法。
【請求項３】
前記制御情報が、前記複数のパケットのうちの前記第１及び第２の視聴覚情報とは異なる１又はそれ以上のパケット内に存在する、
ことを特徴とする請求項１に記載の方法。
【請求項４】
前記第１の視聴覚情報の少なくとも一部及び前記第２の視聴覚情報の少なくとも一部が、前記複数のパケットのうちの少なくとも１つのパケット内にともに存在する、
ことを特徴とする請求項１に記載の方法。
【請求項５】
請求項１〜４の１項に記載の方法を実施するための命令を含むコンピュータプログラム。
【請求項６】
受信機を含む視聴覚情報を移動体装置へ無線方式で送信するためのシステムであって、
請求項１〜５のいずれかに記載の方法を実施するように構成される、
ことを特徴とするシステム。
【請求項７】
移動体装置において視聴覚情報を受信して提示する方法であって、
畳み込み符号を使用して符号化された第１の視聴覚情報と、前記畳み込み符号を使用して符号化されない第２の視聴覚情報と、前記第２の視聴覚情報が前記畳み込み符号を使用して符号化されないことを示すＲ＝１符号化率を含む制御情報とを含む複数のパケットを無線方式で受信するステップであって、前記第１の視聴覚情報は、視聴覚通信規格の第１のバージョンに従って生成され、前記第２の視聴覚情報は、視聴覚通信規格のより新しいバージョンに従って生成されている、ステップと、
前記第２の視聴覚情報が前記畳み込み符号を使用して符号化されないことを前記制御情報に基づいて判断するステップと、
前記第２の視聴覚情報が前記畳み込み符号を使用して符号化されていなければ、前記第２の視聴覚情報が前記第１の視聴覚情報よりも新しい視聴覚通信規格のバージョンより構成されると判断するステップと、
前記視聴覚情報の少なくとも一部を前記移動体装置上に提示するステップと、
を含む、
ことを特徴とする方法。
【請求項８】
前記第２の視聴覚情報が系統的ブロック符号を使用して符号化される、
ことを特徴とする請求項７に記載の方法。
【請求項９】
前記制御情報が、前記複数のパケットのうちの前記第１及び第２の視聴覚情報とは異なる１又はそれ以上のパケット内に存在する、
ことを特徴とする請求項７に記載の方法。
【請求項１０】
前記第１の視聴覚情報の少なくとも一部及び前記第２の視聴覚情報の少なくとも一部が、前記複数のパケットのうちの少なくとも１つのパケット内にともに存在する、
ことを特徴とする請求項７に記載の方法。
【請求項１１】
請求項７〜１０の１項に記載の方法を実施するための命令を含むコンピュータプログラム。
【請求項１２】
視聴覚情報を受信して提示するための移動体装置であって、
畳み込み符号を使用して符号化された第１の視聴覚情報と、前記畳み込み符号を使用して符号化されない第２の視聴覚情報と、前記第２の視聴覚情報が前記畳み込み符号を使用して符号化されないことを示すＲ＝１符号化率を含む制御情報とを含む複数のパケットを無線方式で受信するためのアンテナと、
ディスプレイ及び１又はそれ以上のスピーカと、
前記アンテナ、前記ディスプレイ、及び前記１又はそれ以上のスピーカに結合された受信機論理回路と、
を備え、前記受信機論理回路が、
前記第２の視聴覚情報が前記畳み込み符号を使用して符号化されないことを前記制御情報に基づいて判断し、
前記第２の視聴覚情報が前記畳み込み符号を使用して符号化されていなければ、前記第２の視聴覚情報が前記第１の視聴覚情報よりも新しい視聴覚通信規格のバージョンより構成されると判断し、
前記視聴覚情報の少なくとも一部を１又はそれ以上前記ディスプレイ又は前記１又はそれ以上のスピーカ上に提示する、
ように構成され、
前記第１の視聴覚情報は、視聴覚通信規格の第１のバージョンに従って生成され、前記第２の視聴覚情報は、視聴覚通信規格のより新しいバージョンに従って生成されている
ことを特徴とする移動体装置。
【発明の詳細な説明】
【技術分野】
【０００１】
本発明は移動体テレビジョン放送システムに関し、より詳細には、１つの実施形態では、移動体装置及びハンドヘルド装置に対する移動体サービスのための現行のＡＴＳＣデジタルＴＶ放送システムの強化に関する。
【背景技術】
【０００２】
ＡＴＳＣ（Ａｄｖａｎｃｅｄ  Ｔｅｌｅｖiｓiｏｎ  Ｓｙｓｔｅｍｓ  Ｃｏｍｍiｔｅｅ）規格は、アナログＮＴＳＣテレビジョン・システムに取って代わるデジタル・テレビジョン方式に関する規格である。ＡＴＳＣ規格は、以前のＮＴＳＣ規格の表示解像度の６倍を超える最大１９２０×１０８０画素のサイズの標準の４：３の画像又はワイドスクリーンの１６：９の画像を生成する高繊細度テレビの規格である。ＡＴＳＣ規格は、単一の６ＭＨｚＴＶチャンネル上で複数の標準画質の「仮想チャンネル」放送を転送することに備えている。ＡＴＳＣ規格はまた、ドルビーデジタルＡＣ−３方式を使用して５．１チャンネルサラウンドサウンドを提供する「シアター品質」音響も含む。ＡＴＳＣ規格はまた、数多くの補助的なデータ放送サービスも提供する。
【０００３】
ＡＴＳＣ規格は、データのカプセル化（転送）にＭＰＥＧ−２システム仕様を使用する。より詳細には、ＡＴＳＣは、データを搬送するために１８８バイトのＭＰＥＧトランスポート・ストリーム・パケットを使用する。ＭＰＥＧ−２は、「トランスポート・ストリーム」、「ＭＰＥＧ−ＴＳ」、又は単に「ＴＳ」とも呼ばれる。受信機側において、音声及びビデオを復号する前に、受信機が信号を復調してエラー訂正を適用する。その後、トランスポートストリームをその成分ストリームに逆多重化することができる。ビデオの符号化及び復号には、ＭＰＥＧ−２、Ｈ．２６４、ＶＣ−１などのビデオ・コーデックが特定の制約に従って使用される。
【発明の概要】
【発明が解決しようとする課題】
【０００４】
以前は、ＡＴＳＣ規格を使用して送信されたデジタルテレビ局の移動体受信は困難ないし不可能であった。例えば、自動車の速度で移動しているときにデジタルテレビ局を移動体受信することは非常に困難である。さらに、移動体受信の改善を含め、ＡＴＳＣ規格が開発され拡張されるにつれて、この拡張をシステムに、好ましくは既存のフレームワーク内に融合させる方法が望ましい。従って、移動体受信を向上させるためのデジタル・テレビジョン信号を送信及び／受信するためのシステム及び方法を改善することが必要とされている。
【課題を解決するための手段】
【０００５】
視聴覚情報を無線で送信するためのシステム及び方法の様々な実施形態を示す。１つの実施形態の組は、視聴覚情報を移動体装置へ無線で送信するためのシステム及び方法に関する。別の実施形態の組は、視聴覚情報を移動体装置により無線で受信するためのシステム及び方法に関する。この視聴覚情報は、８−ＶＳＢ変調などを使用して、ＡＴＳＣ（Ａｄｖａｎｃｅｄ  Ｔｅｌｅｖiｓiｏｎ  Ｓｙｓｔｅｍｓ  Ｃｏｍｍiｔｅｅ）規格に従ってパケット化することができる。
【０００６】
視聴覚情報を移動体装置へ送信する方法は、第１のエラー訂正符号化方法を使用して第１の視聴覚情報を符号化するステップを含むことができる。１つの実施形態では、第１のエラー訂正符号化方法を畳み込み符号化方法とすることができる。第１の視聴覚情報を含む複数のパケットを生成することができる。複数のパケットはまた、第２の視聴覚情報及び制御情報を含むこともできる。第２の視聴覚情報は、第１のエラー訂正符号化方法を使用して符号化することができない。例えば、第２の視聴覚情報は、第２のエラー訂正符号化方法を使用して符号化することができる。例えば、第２の視聴覚情報は、系統的ブロック符号化方法を使用して符号化することができる。
【０００７】
第１の視聴覚情報及び第２の視聴覚情報は、複数のパケットのうちの異なるパケット内に存在することができる。換言すれば、１又はそれ以上のパケットが第１の視聴覚情報を含むことができ、１又はそれ以上の異なるパケットが第２の視聴覚情報を含むことができる。或いは、パケットの一部又は全てが、第１の視聴覚情報及び第２の視聴覚情報の両方を含むことができる。換言すれば、第１の視聴覚情報の少なくとも一部及び第２の視聴覚情報の少なくとも一部が、複数のパケットのうちの少なくとも１つのパケット内にともに存在することができる。
【０００８】
複数のパケットは、制御情報を含むこともできる。制御情報は、第２の視聴覚情報が第１のエラー訂正符号化方法に従って符号化されないことを示すことができる。制御情報はまた、第１の視聴覚情報が第１のエラー訂正符号化方法を使用して符号化されることを示すことができる。制御情報を受信機が使用して、第２の視聴覚情報が第１のエラー訂正符号化方法に従って符号化されないと判断することができる。受信機は、第１のエラー訂正符号化方法に従って符号化されない情報を、第１のエラー訂正符号化方法に従って符号化される情報とは異なるサービス又はサービスバージョンとして認識するように構成することができる。従って、第２の視聴覚情報が第１のエラー訂正符号化方法に従って符号化されないという受信機の判断により、第２の視聴覚情報が第１の視聴覚情報とは異なるサービスバージョンであることを受信機に示すことができる。
【０００９】
制御情報は、第１及び／又は第２の視聴覚情報と同じパケットに含めることができる。或いは、制御情報及び視聴覚情報が異なるパケット内に存在してもよい。換言すれば、第１及び第２の視聴覚情報が１又はそれ以上のパケット内に存在する一方で、制御情報が異なる１又はそれ以上のパケット内に存在することができる。
【００１０】
複数のパケットは、無線方式で送信することができる。従って、例えば受信機を含む移動体装置へパケットを送信することができる。例えばアンテナを含む送信機により、複数のパケットを送信することができる。
【００１１】
視聴覚情報を移動体装置へ無線で送信する方法は、視聴覚情報を記憶するためのメモリと、このメモリに結合され、パケット及び制御情報を生成するように構成された送信論理回路と、複数のパケットを送信するための送信機のうちの一部又は全てを様々な実施形態において含むことができるシステムにより部分的に又は完全に実施することができる。
【００１２】
視聴覚情報を移動体装置により無線で受信して提示する方法は、複数のパケットを無線方式で受信するステップを含むことができる。複数のパケットは、第１の視聴覚情報及び第２の視聴覚情報を含むことができる。第１の視聴覚情報は、第１のエラー訂正符号化方法を使用して符号化することができるのに対し、第２の視聴覚情報は、第１のエラー訂正符号化方法を使用して符号化することができない。１つの実施形態によれば、第１のエラー訂正符号化方法を畳み込み符号化方法とすることができる。第２の視聴覚情報は、第１のエラー訂正符号化方法に従って符号化されることはないが、第２のエラー訂正符号化方法を使用して符号化することができる。例えば、系統的ブロック符号化方法を使用して第２の視聴覚情報を符号化することができる。
【００１３】
第１の視聴覚情報及び第２の視聴覚情報は、複数のパケットのうちの異なるパケット内に存在することができる。換言すれば、１又はそれ以上のパケットが第１の視聴覚情報を含むことができ、１又はそれ以上の異なるパケットが第２の視聴覚情報を含むことができる。或いは、パケットの一部又は全てが、第１の視聴覚情報及び第２の視聴覚情報の両方を含むことができる。換言すれば、第１の視聴覚情報の少なくとも一部及び第２の視聴覚情報の少なくとも一部が、複数のパケットのうちの少なくとも１つのパケット内にともに存在することができる。
【００１４】
複数のパケットは、制御情報を含むこともできる。制御情報は、第２の視聴覚情報が第１のエラー訂正符号化方法に従って符号化されないことを示すことができる。制御情報はまた、第１の視聴覚情報が第１のエラー訂正符号化方法を使用して符号化されることを示すこともできる。
【００１５】
制御情報は、第１及び／又は第２の視聴覚情報と同じパケットに含めることができる。或いは、制御情報及び視聴覚情報が異なるパケット内に存在してもよい。換言すれば、第１及び第２の視聴覚情報が１又はそれ以上のパケット内に存在する一方で、制御情報が異なる１又はそれ以上のパケット内に存在することができる。
【００１６】
移動体装置は、第２の視聴覚情報が第１のエラー訂正符号化方法に従って符号化されないことを制御情報に基づいて判断することができる。このため、移動体装置は、第２の視聴覚情報が第１の視聴覚情報とは異なるサービスバージョンであると判断することができる。移動体装置がいずれの（単複の）サービスバージョンを提示するように構成されているかに応じて、視聴覚情報の少なくとも一部（例えば、第１の視聴覚情報の一部又は全部、或いは第２の視聴覚情報の一部又は全部、或いはこれらの両方）を移動体装置上に提示することができる。この処理は、ビデオ情報をディスプレイ上に提示（例えば表示）するステップ、及び／又は音声情報を１又はそれ以上のスピーカ上に提示（例えば再生）するステップを含むことができる。
【００１７】
視聴覚情報を移動体装置により無線で受信する方法は、移動体装置により実施することができる。移動体装置は、パケットを無線で受信するためのアンテナと、視聴覚情報とエラー訂正符号化情報を処理し、処理した視聴覚情報を提示するための、アンテナに結合された受信機論理回路と、実際に視聴覚情報を提示できるディスプレイ及び１又はそれ以上のスピーカとを含むことができる。
【００１８】
従って、基準エラー訂正符号化方法に従うエラー訂正符号化が存在するか又は存在しないかを利用して異なるサービスバージョンをシグナリングすることができる。特にこれは、送信システム、及び上位互換性のある送信システムとともに使用するための移動体装置の提供に有用となり得る。換言すれば、送信システムは、その最初のサービスバージョンに特定のエラー訂正符号化方法を使用することができるが、最初のサービス開始時にフューチャー・サービス又はサービスバージョンがどうなるかを指定する必要なく、フューチャー・サービスバージョンでは、そのフューチャー・サービスバージョンをシグナリングする方法として同じエラー訂正符号化方法を使用しない可能性を計画しこれを可能にすることもできる。これにより、基本的に既存のトランスポート・フレームワーク内にトンネル（第１のエラー訂正符号化方法に従って符号化されないデータ）が提供され、トランスポート・フレームワークを遮断することなくこの中にフューチャー・サービスを挿入できるので、本明細書ではこれを「非符号化トランスポート・トンネル」と呼ぶ。従って、１つの実施形態では、同じトランスポート・フレームワーク内で、（最初のサービス開始などの）初期のサービスバージョンからのサービスしか受信して提示することができないレガシーな移動体装置、及び最新のサービスバージョンからのサービスを受信して提示することができる最新の移動体装置の両方を視聴覚情報に対応させることができる。
【００１９】
以下の好ましい実施形態の詳細な説明を以下の図面と併せて検討すれば、本発明をより完全に理解することができる。
【図面の簡単な説明】
【００２０】
【図１】１つの実施形態によるデジタル・テレビジョン放送システムを示す図である。
【図２】１つの実施形態による、視聴覚情報を移動体装置へ無線で送信する方法を示すフロー図である。
【図３】移動体装置が視聴覚情報を無線で受信して提示する方法を示すフロー図である。
【図４】１つの実施形態による４状態系統的畳み込み符号器を示す図である。
【図５】１つの実施形態による、Ｒ＝１／２及びＲ＝１／４の符号化率を生じる２つの基本的なパンクチャリング・パターンを示す図である。
【図６】１つの実施形態による、Ｒ＝１／３、Ｒ＝２／３、及びＲ＝４／５の符号化率を生じるいくつかの追加のパンクチャリング・パターンを示す図である。
【図７】１つの実施形態によるインラインサービス多重化を示す図である。
【図８】Ｒ＝１（非符号化）符号化スキームを生み出すパンクチャリング・パターンを示す図である。
【発明を実施するための形態】
【００２１】
本発明は、様々な修正及び代替の形態が可能であるが、図面には本発明の特定の実施形態を一例として示し、本明細書ではこれらについて詳細に説明する。しかしながら、図面及びこれらの詳細な説明は、開示する特定の形態に本発明を限定することを意図するものではなく、むしろ添付の特許請求の範囲により定められる本発明の思想及び範囲内にある全ての修正、同等物及び代替手段を含むことを意図するものであると理解されたい。
【００２２】
図１−デジタル・テレビジョン放送システム
図１は、本発明の１つの実施形態による例示的な放送システム１００を示している。１つの実施形態では、この放送システムをデジタル・テレビジョン放送システムとすることができる。本明細書で説明する放送システム１００を、本明細書で説明する様々な方法を含めて使用して、視聴覚情報及びその他のデータを含む様々な種類のデータのいずれかを放送することができる。
【００２３】
本明細書で使用する「視聴覚情報」という用語は、ビデオデータ及び／又は音声データを含む様々な種類の情報又はデータのいずれかを含む。「ビデオデータ」という用語は、（テレビ、映画、ストリーミングビデオ、その他、及びＪＰＥＧなどの画像データのような）動画ビデオを含む。「視聴覚情報」という用語は、実行時に装置に（ディスプレイ上に）ビデオデータを、及び／又は（スピーカ上に）音声データを提示させる様々な種類の情報又はプログラム命令のいずれかをさらに含む。例えば、「視聴覚情報」という用語は、提示装置上に（画像、ビデオ、及び／又は音声などの）ゲームコンテンツを提示するために利用及び／又は実行できる（プログラム命令及び／又はデータを含む）様々な種類のゲームコンテンツのいずれかを含む。
【００２４】
本出願では、本明細書で説明する放送システム１００及び様々な方法について、視聴覚情報を送信して特定のデジタル・テレビジョンにおいて受信機装置により提示するという状況で説明する。しかしながら、本明細書で説明する放送システム１００及び様々な方法を使用して、（視聴覚情報、電子メール、ファイル、テキスト文書、地震データ、測定データ、気象データなどの）様々な種類のデータのいずれかを送信／受信することもでき、視聴覚情報は１つの代表例にすぎない。
【００２５】
１つの実施形態の組では、放送システムが、８−ＶＳＢ変調などを使用してＡＴＳＣ（Ａｄｖａｎｃｅｄ  Ｔｅｌｅｖiｓiｏｎ  Ｓｙｓｔｅｍｓ  Ｃｏｍｍiｔｅｅ）規格に基づいて動作することができる。或いは、この放送システムは、ＡＴＳＣ規格の修正版に基づいて、或いは別の規格に基づいて動作することができる。例えば、移動中の受信機に視聴覚情報を送信するためには、ＡＴＳＣ規格のＭｏｂｉｌｅ／Ｈａｎｄｈｅｌｄ（Ｍ／Ｈ）修正版が使用される。現行のＭ／Ｈシステムは、Ｅ−ＶＳＢサービス多重化のために定められた方法に従うＮＵＬＬパケットにカプセル化されたメインサービス・ストリームと同時にＭ／Ｈサービスをバーストの形で転送する。本システムは、さらなるロバスト性のために直列連結畳み込み符号化（ＳＣＣＣ）を使用する。Ｍ／Ｈ受信を援助するために、既存のＭ／Ｈシステムは、基本の８ＶＳＢ転送に移動体パケットデータで多重化された追加のトレーニングを加えて補い、送信時にトレーニングデータが連続バイト（トレーニング当たり２フルセグメント）で出現するようにしている。従って、利用可能な場合、受信機は、高速で移動するチャンネル状態を追跡するために、この追加のトレーニング情報を利用して受信機のイコライザを更新することができる。本明細書に開示する実施形態の具体例は、ＡＴＳＣ規格のＭ／Ｈ修正版の一部に基づくこと、又はこれを含むことができ、Ｍ／Ｈ及びＡＴＳＣ規格のさらなる変形版及び修正版を含むこともできる。しかしながら、本明細書に開示する視聴覚情報の送信に関する実施形態は、必ずしもＡＴＳＣ又はＭ／Ｈシステムとの使用に限定されるものではなく、ＤＶＢ−Ｔ／Ｈ、ＩＳＤＢ−Ｔ、ＤＭＢ−Ｔ／Ｈなどの他の規格及び／又は修正スキームに基づく視聴覚情報の送信にも等しく適用することができる。
【００２６】
図示のように、システム１００は、送信システム（又は送信システム）１０２と、（移動体装置１１２Ａ〜１１２Ｄなどの）１又はそれ以上の移動体装置１１２と、少なくとも１つの固定装置１１４とを含む。上述したように図１は例示にすぎず、例えば例示的なシステムは、１又はそれ以上の送信システム１０２と、複数の移動体装置１１２と、複数の固定装置１１４とを含むことができる。
【００２７】
送信システム１０２は、視聴覚情報を１又はそれ以上の移動体装置１１２へ無線方式で送信するように構成される。より詳細には、送信システム１０２を、デジタル・テレビジョン信号／チャンネルを移動体装置１１２へ送信するように構成することができる。移動体装置１１２は、視聴覚情報を受信して提示することができ、例えばデジタル・テレビジョン信号／チャンネルを受信して提示することができる。送信システム１０２はまた、視聴覚情報を（固定テレビなどの）固定装置１１４へ無線方式で送信するように構成することもできる。送信システム１０２はまた、視聴覚情報をテレビなどの１又はそれ以上の固定装置１１４へ送信するようにも構成される。
【００２８】
便宜上、本明細書では、本発明の実施形態を移動体装置１１２による受信に関して説明する。また一方、当然ながら本明細書で説明する本発明の様々な実施形態を固定装置による受信に使用することもできる。例えば、本発明の１つの実施形態は、地上放送のロバスト性を強化するために、固定装置１１４が追加のエラー訂正情報を受信できるようにする。従って、本明細書で説明する様々な方法のいずれかを、移動体装置１１２又は固定装置１１４、又はこれらの両方とともに望む通りに利用することができる。
【００２９】
送信システム１０２は、送信機１０６と、この送信機１０６に結合された送信論理回路１０４とを含む。送信論理回路１０４は、（付随のソフトウェアを含む）１又はそれ以上のコンピュータシステム、デジタル論理回路、アナログ論理回路、プログラマブルゲートアレイなどの様々な種類の論理回路のいずれか、又はこれらの組み合わせを含むことができる。送信論理回路１０４は、（テレビデータなどの）視聴覚情報を受信及び／又は記憶して、この視聴覚情報を含むパケットを生成するようにされる。送信論理回路１０４は、８−ＶＳＢ変調などを使用して、ＡＴＳＣ（Ａｄｖａｎｃｅｄ  Ｔｅｌｅｖiｓiｏｎ  Ｓｙｓｔｅｍｓ  Ｃｏｍｍiｔｅｅ）規格などの様々な規格のいずれかに基づいてパケットを生成することができる。送信システム１０２は、ＤＶＢ−Ｔ／Ｈ、ＩＳＤＢ−Ｔ、ＤＭＢ−Ｔ／Ｈなどの他の変調スキームを使用することもできる。送信論理回路１０４はまた、エラー訂正符号化情報を生成するようにもされる。例えば、送信論理回路１０４を、（以下に限定されるわけではないが、）（トレリス符号化などの）畳み込み符号化、（リードソロモン符号化などの）ブロック符号化、又はその他のエラー訂正技術を含む様々な種類のエラー訂正技術のいずれかを使用してデータを符号化するように構成することができる。送信論理回路１０４を、２以上のエラー訂正技術を使用してデータを符号化するように構成することもできる。送信論理回路１０４はまた、本明細書で説明するような制御情報を含むパケットを生成するようにも構成される。１つの実施形態では、デジタル・テレビジョン・チャンネルの１又はそれ以上が、テレビなどの固定受信機向けに企図される。デジタル・テレビジョン・チャンネルの１又はそれ以上を、移動体及び／又はハンドヘルド（Ｍ／Ｈ）（本明細書ではまとめて「移動体」と呼ぶ）装置１１２向けに企図することもできる。１つの実施形態では、デジタル・テレビジョン・チャンネルの１又はそれ以上を、固定受信機又は移動体装置のいずれかに向けて企図することができる。
【００３０】
本明細書で説明するように、移動体装置１１２向けに企図されたデジタル・テレビジョン・チャンネルの場合（そして場合によっては固定装置１１４及び／又は移動体装置１１２向けに企図されたチャンネルなどの全てのチャンネルの場合）、送信論理回路１０４を、エラー訂正符号化情報を含むパケットを生成するように構成することができる。例えば、送信論理回路１０４は、視聴覚情報のためのエラー訂正符号化情報を生成することができ、またエラー訂正符号化情報を視聴覚情報とは別の（１又は複数の）パケットに含めて、エラー訂正符号化情報を視聴覚情報に関連付けるための制御情報を含む別の（１又は複数の）パケットとともに送信することができる。従って、エラー訂正符号化情報を使用する必要がない、又は使用するように構成されていない（固定受信機などの）受信機は、エラー訂正符号化情報パケットを無視して、視聴覚情報を通常の視聴覚ストリームとして単純に受信できるのに対し、追加のエラー訂正符号化情報を必要とし、このエラー訂正符号化情報を使用するように構成されている（移動体装置などの）受信機は、（制御情報などに基づいて）エラー訂正符号化情報を視聴覚情報に関連付けることにより、よりロバストなシステムを実現することができる。
【００３１】
さらに、送信論理回路１０４が制御情報を使用して、受信機が使用できる新たな種類のエラー訂正符号化を生成して送信することができる。１つの実施形態では、視聴覚情報の第１の部分を第１のエラー訂正符号化方法を使用して符号化できるのに対し、視聴覚情報の第２の部分は第１のエラー訂正符号化方法を使用して符号化することができず、この視聴覚情報の第２の部分は、単純に符号化しないようにすることができ、或いは第２のエラー訂正符号化方法を使用して符号化することができる。いくつかの実施形態では、視聴覚情報の一部又は全てとともに複数のエラー訂正符号化方法を使用することができる。
【００３２】
移動体装置１１２は、ポータブルコンピュータシステム（ラップトップ）１１２Ａ、（Ｂｌａｃｋｂｅｒｒｙ、iＰｈｏｎｅなどの）無線電話機１１２Ｂ、携帯情報端末１１２Ｃ、車載型テレビ装置１１２Ｄ、及び受信した視聴覚情報を表示できるその他の種類の携帯機器などの様々な種類の装置のいずれであってもよい。
【００３３】
移動体装置１１２は、視聴覚情報を含むパケット、エラー訂正符号化情報を含むパケット、及び制御情報を含むパケットを含む、送信機１０６により送信されたパケットを（アンテナなどを使用して）無線で受信するように構成される。それぞれの移動体装置１１２は、受信した視聴覚情報を処理するための受信機論理回路、及びビデオ情報を提示するためのディスプレイと音声情報を提示するための１又はそれ以上のスピーカとを含むこともできる。従って、移動体装置１１２の各々は、本明細書で説明するような受信したテレビチャンネルを提示するためのテレビのような能力を含むことができる。
【００３４】
固定装置１１４は、液晶ディスプレイ（ＬＣＤディスプレイ）、プラズマディプレイなどの従来のテレビのような、固定位置に設置されることを意図された（固定式又は「非モバイル」と呼ぶ）様々な種類の装置のいずれであってもよい。
【００３５】
図２−送信フロー図
図２は、視聴覚情報を送信するための方法を示すフロー図である。この方法は、上述したような及び図１に示すような、送信論理回路及び送信機を含むシステムなどの送信システムにより実施することができる。視聴覚情報は、移動体装置が受信するためのものであってもよく、或いは、この視聴覚情報は、固定装置が、又は移動体装置及び固定装置の両方が受信するためのものであってもよい。なお、様々な実施形態によれば、ステップのうちの１又はそれ以上を省略し、反復し、或いは図２に示し以下で説明するものとは異なる順序で実施することができる。
【００３６】
この方法は、本明細書では未だ不確定のフューチャー・サービスのための搬送波として（少なくとも基準エラー訂正符号化方法に従う）「非符号化」データを使用することを意味する「非符号化トランスポート・トンネリング」を可能にすることができる。システム開発の一部として新たなサービス及びシステムのバージョンを展開することがあり、この新たなサービス及びバージョンをシグナリングする方法が必要となることがある。エラー訂正符号化を使用するシステムでは、システム開発の一部として、改善された新たなエラー訂正符号化方法を含むことができる。従って、いくつかのシステムでは、エラー訂正符号化方法が存在するか又は存在しないかを利用して新たなサービス及び／又はバージョンをシグナリングすることが当然のこととなり得る。１つの実施形態では、エラー訂正符号化方法が存在するか又は存在しないかのみを利用して、或いは主にこれを利用して新たなサービス及び／又はバージョンをシグナリングする。これとは別に、或いはこれに加え、システムの基本バージョンは第１のエラー訂正符号化方法を使用できるが、新たなバージョンでは、別のエラー訂正符号化方法の改善又は何らかの理由により、第１のエラー訂正符号化方法が不要となる場合がある。従って、基本バージョンのサービスは第１のエラー訂正符号化方法を使用して符号化できるのに対し、新たなバージョンのサービスは第１のエラー訂正符号化方法を使用して符号化することができない。従って、適当な制御情報と組み合わせてこの新たなサービスバージョンを「非符号化」のままにすることにより、基本的なトランスポート・フレームワーク内で新たなサービスバージョンを転送する方法を実現することができる。換言すれば、非符号化トランスポート・トンネリングにより、既存のフレームワーク内におけるフューチャー・サービス拡張のための手段を提供することができ、この能力を元々の基本トランスポート・フレームワークの設計から実現することで、システムに大きな上位互換性を与え、潜在的にトランスポート・ネットワークの有効寿命を伸ばすことができる。
【００３７】
一般に、本明細書で説明する方法は、エラー訂正符号化を使用し上位互換性が望ましいいずれかのシステムなどのあらゆる適当なシステムに使用することができる。従って、本明細書では、本方法の実施形態を主にＡＴＳＣ及びＭ／Ｈシステムに関して説明することができる一方で、本方法がこれらのシステムに限定されることはなく、この広範な範囲を念頭に置いておくべきである。
【００３８】
１つの特定の実施形態は、Ｍ／Ｈサービスを含むＡＴＳＣデジタル・テレビジョン規格に関する。ＡＴＳＣ  ８ＶＳＢ転送は、Ｍ／Ｈサービス・データを含むパケットを示すためにヌル（未割り当て）パケットＩＤを使用するが、現在のところ、Ｍ／Ｈフレームワーク内でＭ／Ｈサービスを拡張する（例えば、新たなＭ／Ｈサービスを作り出す）ための手段は存在しない。Ｍ／Ｈシステムは、順方向エラー訂正を行う１つの手段として、（図４に示すような）系統的畳み込み符号器を使用する。様々なパンクチャリング・パターンを使用することにより、様々な符号化率で、すなわち異なるデータビット対総（データ及び符号化）ビット率でこの外部符号化を行うことができる。これには、例えば送信及び／又は受信状態に応じて符号化率の動的調整を可能にする可能性がある。符号化ビットを全てパンクチャするパンクチャリング・パターンを使用すること、すなわちＲ＝１の符号化率を使用することがさらに可能である。換言すれば、Ｒ＝１の視聴覚ストリームが、畳み込み符号化スキームに従って非符号化される。
【００３９】
畳み込み符号化エラー訂正方法は、現行のＭ／Ｈサービスに対して有用である可能性があり、恐らくは非常に有用であり、或いは不可欠でさえあるが、将来的には追加のエラー訂正符号化方法により補足され、又は置き換えられると予測することが妥当である。例えば、１つの補足又は置き換え用の符号化方法の候補は、系統的ブロック符号化である可能性がある。従って、Ｒ＝１符号化率は現行のサービスにとって適当なものではないが、フューチャー・サービスにとっては許容できるものであるので、Ｍ／Ｈフレームワーク内の（未だ不確定の）フューチャー・サービスの指針としてＲ＝１符号化率を確保しておくことは、非符号化トランスポート・トンネリングの１つの好ましい実施形態となる。
【００４０】
２０２において、第１のエラー訂正符号化方法を使用して第１の視聴覚情報を符号化することができる。第１のエラー訂正符号化方法は、いずれの種類のエラー訂正符号化方法であってもよい。１つの実施形態では、例えばＡＴＳＣ  Ｍ／Ｈシステムでは、第１のエラー訂正符号化方法を、図４に示しこれに関して以下で説明するような系統的畳み込み符号器などの畳み込み符号化方法とすることができる。従って、第１の視聴覚情報を、１／２、１／３、１／４、２／３、４／５などのいくつかの符号化率のいずれかで望む通りに外部符号化することができる。このような符号化率を生じるパンクチャリング・スキームの例を図５及び図６に示す。いくつかの実施形態では、補強メインストリーム、入れ子型ストリーム符号化、及び／又はスタガキャスティングを使用して第１の視聴覚情報を符号化することができ、これらの技術は、２００９年５月２７日に出願された「クロス・ストリーム・アソシエーションによる移動体装置へのマルチメディア・ストリームの送信」という名称の出願番号第１２／４７２，８９２号に記載しており、該特許出願は本明細書に十分かつ完全に示されるかのようにその全体が引用により本明細書に組み入れられる。
【００４１】
２０４において、複数のパケットを生成することができる。パケットは、移動体装置及び／又は固定装置向けに企図された１又はそれ以上のコンテンツ・ストリームなどの視聴覚情報を含むことができる。１つの実施形態では、（テレビなどの）固定受信機向けに企図された１又はそれ以上のデジタル・テレビジョン・チャンネルを含むＡＴＳＣ（Ａｄｖａｎｃｅｄ  Ｔｅｌｅｖiｓiｏｎ  Ｓｙｓｔｅｍｓ  Ｃｏｍｍiｔｅｅ）ＤＴＶ（デジタル・テレビジョン）規格に基づいてパケットを生成することができ、これとは別に或いはこれに加えて、パケットは、移動体／ハンドヘルド（Ｍ／Ｈ）受信機向けに企図された１又はそれ以上のデジタル・テレビジョン・チャンネルを含むことができる。
【００４２】
視聴覚情報を含むパケットの生成は、（ＭＰＥＧ−２符号化などを使用して）音声及びビデオデータを符号化するステップ、順方向エラー訂正を適用するステップ、適当なパケットヘッダ及び制御情報を生成するステップなどの様々なステップを含むことができる。順方向エラー訂正は、リードソロモン（ＲＳ）符号化、トレリス符号化、巡回冗長コード（ＣＲＣ）を含むあらゆる数の形、又は複数の方法の組み合わせを含む他のあらゆるエラー訂正符号化の形をとることができる。なお、いくつかの実施形態では、ステップ２０２（第１の視聴覚情報を符号化するステップ）を、ステップ２０４（視聴覚情報のパケットを生成するステップ）の一部とみなすことができる。
【００４３】
パケットは、第１のエラー訂正符号化方法を使用して符号化できる第１の視聴覚情報を含むことができる。パケットはまた、第１のエラー訂正符号化方法を使用して符号化できない第２の視聴覚情報を含むこともできる。例えば、再び図４の畳み込み符号器を参照すると、適当なパンクチャリング・パターンを使用して外部符号化率Ｒ＝１を生じることができる。この場合、第２の視聴覚情報は系統的畳み込み符号器によって処理できるが、この符号器からの符号化は一切含むことができない。第２の視聴覚情報は、第１のエラー訂正符号化方法を使用して符号化することはできないが、何らかの形のエラー訂正を含むことができる。例えば、系統的ブロックコードなどの第２のエラー訂正符号化方法を使用して第２の視聴覚情報を符号化することができる。
【００４４】
いくつかの実施形態では、第１及び第２の視聴覚情報が各々別個のパケット内に存在することができ、換言すれば、第１の視聴覚情報が１又はそれ以上のパケット内に存在することができ、第２の視聴覚情報が１又はそれ以上の異なるパケット内に存在することができる。或いは、第１の視聴覚情報の少なくとも一部が、第２の視聴覚情報の少なくとも一部とともにパケットの１又はそれ以上の中に存在することができる。換言すれば、第１の視聴覚情報及び第２の視聴覚情報の両方を含む１又はそれ以上のパケットが存在することができる。
【００４５】
複数のパケットは、制御情報を含むこともできる。制御情報は、第１及び／又は第２の視聴覚情報と同じパケット内などに第１及び／又は第２の視聴覚情報とともに存在することができ、或いは第１及び第２の視聴覚情報とは異なる１又はそれ以上のパケット内などに別個に存在することもできる。制御情報は、第２の視聴覚情報が第１のエラー訂正符号化方法に従って符号化されないことを示すことができる。従って、制御情報を（移動体装置などの）受信機が使用して、第２の視聴覚情報が第１のエラー訂正符号化方法に従って符号化されないと判断することができる。これにより、第２の視聴覚情報が第１の視聴覚情報とは異なるサービス及び／又はバージョンであることを受信機に示すことができる。
【００４６】
制御情報はまた、第１の視聴覚情報が第１のエラー訂正符号化方法に従って符号化されること（及びいくつかの実施形態では、第１の視聴覚情報が符号化される符号化率）、及び／又は様々なその他の情報を示すことができる。例えば、いくつかの実施形態では、引用により組み入れられる「クロス・ストリーム・アソシエーションによる移動体装置へのマルチメディア・ストリームの送信」という名称の出願番号第１２／４７２，８９２号に記載するように、制御情報が、時間及び／又は周波数で分離された視聴覚ストリームを関連付けるための情報を含むことができる。
【００４７】
２０６において、複数のパケットを送信することができる。複数のパケットの送信は、複数のパケットの異なる部分を多重化するステップ（第１の視聴覚情報、第２の視聴覚情報、及び制御情報を多重化するステップなど）を含むことができる。これらの異なるパケット又はストリームを多重化するステップは、それぞれの複数のパケット（又はストリーム）の相対的帯域幅割り当ての比率に基づいて実施することができる。連続モードに対応する１つの実施形態では、これらの異なるパケット・ストリームを多重化するステップが、これらの相対的帯域幅に基づいてパケットを均一に分散させるようにこれらを順序付けるステップを含む。バーストモードに対応する別の実施形態では、（固有のバーストに集約された）制御情報が残りのバーストの開始位置を指示することにより、異なるパケットストリームが先行する別のバーストに集約される。多重化により、送信オーバーヘッドを低減することができる。１つの実施形態では、この送信方法により、様々なパケット・ストリームの帯域幅割り当てに関するサイズ情報が送信され、このサイズ情報を受信機側で使用して、受信したパケット・ストリームを逆多重化することができる。
【００４８】
図３−受信フロー図
図３は、視聴覚情報を受信して提示するための方法を示すフロー図である。この方法は、ポータブルコンピュータシステム（ラップトップ）、（Ｂｌａｃｋｂｅｒｒｙ、iＰｈｏｎｅなどの）無線電話機、携帯情報端末、車載型テレビ装置、及び受信した視聴覚情報を表示できるその他の種類の携帯機器などの、上述した図１に示すような移動体装置により実施することができる。或いは、いくつかの実施形態では、この方法を、液晶ディスプレイ（ＬＣＤディスプレイ）テレビ、プラズマディスプレイテレビなどの従来のテレビのような、図１に示し上述したような固定装置により実施することができる。なお、様々な実施形態によれば、ステップのうちの１又はそれ以上を省略し、反復し、或いは図３に示し以下で説明するものとは異なる順序で実施することができる。
【００４９】
この方法は、受信機が異なるサービス又はサービスバージョンを区別するための手段として、図２に関して説明したような非符号化トランスポート・トンネリングを使用することができる。以下で説明する図３のフロー図によって示す方法は、上述した図２のフロー図によって示す（例えば送信システムによる）方法と組み合わせて（例えば移動体装置が）使用することができる。従って、様々な実施形態によれば、図３に関して以下で説明する要素の多くは、図２に関して上述した要素の多くに対応することができる。
【００５０】
３０２において、視聴覚情報を含む複数のパケットを受信することができる。パケットは、移動体装置及び／又は固定装置向けに企図された１又はそれ以上のコンテンツ・ストリームを含むことができる。１つの実施形態では、（テレビなどの）固定受信機向けに企図された１又はそれ以上のデジタル・テレビジョン・チャンネルを含むＡＴＳＣ（Ａｄｖａｎｃｅｄ  Ｔｅｌｅｖiｓiｏｎ  Ｓｙｓｔｅｍｓ  Ｃｏｍｍiｔｅｅ）ＤＴＶ（デジタル・テレビジョン）規格に基づいてパケットを生成することができ、これとは別に或いはこれに加えて、パケットは、移動体／ハンドヘルド（Ｍ／Ｈ）受信機向けに企図された１又はそれ以上のデジタル・テレビジョン・チャンネルを含むことができる。視聴覚情報を含むパケットは、順方向エラー訂正などのエラー訂正符号化を含むこともでき、これは、以下に限定されるわけではないが、ＲＳ符号化、トレリス符号化、ＣＲＣを含むあらゆる数の形、又は複数の方法の組み合わせを含む他のあらゆるエラー訂正符号化の形をとることができる。
【００５１】
複数のパケットは、第１のエラー訂正符号化方法を使用して符号化される第１の視聴覚情報を含むことができる。第１のエラー訂正符号化方法は、いずれの種類のエラー訂正符号化方法であってもよい。１つの実施形態では、例えばＡＴＳＣ  Ｍ／Ｈシステムでは、第１のエラー訂正符号化方法を、図４に示しこれに関して以下で説明するような系統的畳み込み符号器などの畳み込み符号化方法とすることができる。従って、第１の視聴覚情報を、１／２、１／３、１／４、２／３、４／５などのいくつかの符号化率のいずれかで望む通りに外部符号化することができる。いくつかの実施形態では、補強メインストリーム、入れ子型ストリーム符号化、及び／又はスタガキャスティングを使用して第１の視聴覚情報を符号化することができる。
【００５２】
複数のパケットは、第１のエラー訂正符号化方法を使用して符号化できない第２の視聴覚情報を含むこともできる。例えば、再び図４の畳み込み符号器を参照すると、Ｒ＝１（すなわち非符号化）の符号化率を生じるパンクチャリング・スキームを使用することができる。この場合、第２の視聴覚情報は系統的畳み込み符号器によって処理されたかもしれないが、この符号器からの符号化は一切含むことができない。第２の視聴覚情報は、第１のエラー訂正符号化方法を使用して符号化することはできないが、何らかの形のエラー訂正を含むことができる。例えば、系統的ブロックコードなどの第２のエラー訂正符号化方法を使用して第２の視聴覚情報を符号化することができる。
【００５３】
いくつかの実施形態では、第１及び第２の視聴覚情報が各々別個のパケット内に存在することができ、換言すれば、第１の視聴覚情報が１又はそれ以上のパケット内に存在することができ、第２の視聴覚情報が１又はそれ以上の異なるパケット内に存在することができる。或いは、第１の視聴覚情報の少なくとも一部が、第２の視聴覚情報の少なくとも一部とともにパケットの１又はそれ以上の中に存在することができる。換言すれば、第１の視聴覚情報及び第２の視聴覚情報の両方を含む１又はそれ以上のパケットが存在することができる。
【００５４】
複数のパケットは、制御情報を含むこともできる。制御情報は、第１及び／又は第２の視聴覚情報と同じパケット内などに第１及び／又は第２の視聴覚情報とともに存在することができ、或いは第１及び第２の視聴覚情報とは異なる１又はそれ以上のパケット内などに別個に存在することもできる。制御情報は、第２の視聴覚情報が第１のエラー訂正符号化方法に従って符号化されないことを示すことができる。
【００５５】
３０４において、第２の視聴覚情報が第１のエラー訂正符号化方法に従って符号化されないことを制御情報に基づいて判断することができる。制御情報は、あらゆる数の方法でこのことを移動体装置に示すことができる。１つの実施形態では、個々の視聴覚ストリームの第１のエラー訂正符号化方法に従う符号化率を制御情報において示すことができる。従って、第２の視聴覚情報は、第１のエラー訂正符号化方法に従うＲ＝１を有することができる。その一方で、第１の視聴覚情報は、Ｒ＝１／２、１／４、又はその他の何らかの符号化率を有することができる。
【００５６】
３０６において、第２の視聴覚情報が第１の視聴覚情報とは異なるサービスバージョンであると判断することができる。この判断は、第２の視聴覚情報が第１のエラー訂正符号化方法に従って符号化されないという判断に基づいて行うことができる。換言すれば、第１のエラー訂正符号化方法に従って符号化されない情報が、第１のエラー訂正符号化方法に従って符号化される情報とは異なるサービス又はサービスバージョンの一部であることを認識するように移動体装置を構成することができる。
【００５７】
移動体装置の構成に応じて、視聴覚ストリームの１又はそれ以上を移動体装置が提示のために使用することができる。例えば、最新モデルの移動体装置は、（第２の視聴覚情報などの）新たなサービスを認識し、従ってＲ＝１のカプセル化視聴覚情報を利用するように構成することができる。一方で、レガシーな移動体装置は、非符号化トランスポート・トンネルに含まれる新たなサービス又はサービスバージョンを使用することができず、（第１の視聴覚情報などの）（単複の）基本サービスしか使用することができない。システムの基本フレームワークにＲ＝１トンネルを組み込んだ場合、レガシーな受信機は、サポートされていないサービスを解析しようと試みるので、部分的に又は完全に動作不能にされるのではなく、サポートされていないサービスを少なくとも認識して無視することができる。換言すれば、適切に設計されたシステムでは、非符号化トランスポート・トンネルが存在することにより、最初のサービス開始後にデータサービスを展開し、第１の視聴覚情報の基本コンテンツを受信するというレガシーな受信機の機能を妨げることなく、このデータサービスを１又はそれ以上の最初の（基本）サービスとともに搬送できるようにすることができる。
【００５８】
いくつかの実施形態では、移動体装置が受信した視聴覚情報（例えば、移動体装置に応じて、第１の視聴覚情報、第２の視聴覚情報、或いはこれらの両方）を提示前に処理することもできる。視聴覚情報を処理するステップは、例えばデータを逆多重化するステップ、あらゆるエラー訂正情報を復号するステップ、音声及びビデオデータを復号するステップなどの、送信のためにデータを準備する際に及び／又はデータをパケット化する際に行われるあらゆるステップの逆を実施するステップを含むことができる。エラー訂正情報を復号するステップは、（例えば、第１のエラー訂正符号化方法及び／又は他のエラー訂正符号化方法から生じる）第１の視聴覚情報を含むあらゆるエラー訂正符号化情報、及び（例えば、第２のエラー訂正符号化方法及び／又は他のエラー訂正符号化方法から生じる）第２の視聴覚情報を含むあらゆるエラー訂正情報の両方を復号するステップを含むことができる。なお、いくつかの実施形態では、ステップ３０４及び３０６の両方において行う判断を処理の一部とみなすことができる。
【００５９】
３０８において、視聴覚情報の少なくとも一部を提示することができる。移動体装置（移動体装置がレガシーな装置であるか又は最新モデルの装置であるか、移動体装置がどのように構成されているかなど）に応じて、第１の視聴覚情報及び／又は第２の視聴覚情報の一部又は全てを提示することができる。視聴覚情報を提示するステップは、ディスプレイ上にビデオ情報を提示するステップ及び／又は１又はそれ以上のスピーカ上に音声情報を提示するステップを含むことができる。
【００６０】
図４−４状態畳み込み外部コード
図４は、Ｒ＝１／５及びＫ＝３の系統的畳み込み符号化スキーム及び対応する符号化構造を示している。この共通構造に基づき、様々なパンクチャリング・パターンを使用して複数の比率（入力ビットをｎ、出力ビットをｋとした場合、Ｒ＝ｎ／ｋ）を導き出すことができる。特別な例では、図８に示すように、符号化ビットを全てパンクチャしてＲ＝１の符号化率を生じることができる。図４は特定の畳み込み符号化スキームを示しており、本明細書では便宜上これを参照するが、図６に示し本明細書で説明するスキームに加え、或いはこの代わりに（他の畳み込み符号化スキーム又は他の種類のエラー訂正符号化スキームなどの）他の符号化スキームを使用することもできる。
【００６１】
図５−基本的パンクチャリング・パターン、比率１／２、１／４
図５は、図４に示す畳み込み符号化スキームとともに使用できる２つの基本的パンクチャリング・パターンを示している。図示のように、Ｒ＝１／２の場合には、全ての入力に対して２ビットが送信され、Ｒ＝１／４の場合には、全ての入力ビットに対して４ビットが送信される。図５に示すように、外部畳み込み符号器が系統的なものであるとすると、入力ビットは修正されずに出力に渡され、符号化データとともにビット・タプル(bit-tuples)に並べ替えられる。
【００６２】
図６−追加のパンクチャリング・パターン、比率１／３、２／３、４／５
図６は、図４に示す畳み込み符号化スキームとともに使用できるいくつかの追加のパンクチャリング・パターンを示している。図示のように、様々なパンクチャリング・パターンを使用して、１／３、２／３、又は４／５の比率を生じることができる。他の比率を生じる他のパンクチャリング・パターンも可能である。
【００６３】
図７−インライン・サービス多重化
図７は、１つの実施形態による異なる種類のサービスを多重化するためのシステムを示している。ＡＴＳＣ規格は、８ＶＳＢ変調により転送される、固定受信機向けに企図されたようなノーマル・サービス・データを含む。ＡＴＳＣ規格は、ＡＴＳＣフレームワーク内で新たなサービスを展開するための一定数の確保された（未割り当ての）パケットＩＤ番号（ＰＩＤ）を有する。１つのこのようなＰＩＤが、移動受信機向けに企図されたサービスなどのＭ／Ｈサービス・データに割り当てられる。Ｍ／Ｈサービスを非符号化Ｒ＝１トランスポート・トンネルで設計することにより、たとえ異なる方法を使用したとしても、未割り当てのＰＩＤと同様の機能を実現することができる。換言すれば、Ｍ／Ｈ転送において非符号化トランスポート・トンネルを実現することにより、Ｍ／Ｈフレームワーク内、ひいてはＡＴＳＣフレームワーク内でフューチャー（例えば展開される）サービスを転送できるようになる。
【００６４】
図８−Ｒ＝１（非符号化）符号化スキーム
図８は、図６の畳み込み符号器とともに使用してＲ＝１符号化スキームを生み出すことができるパンクチャリング・パターンを示している。データビットのみを送信すること（例えば、パンクチャリングして符号化済みのビットを完全に除去すること）により、非符号化トランスポート・スキームを生み出し、これを図２及び図３の方法と組み合わせて使用して、基本サービスを含むトランスポート・フレームワークの完全性を損なうことなくフューチャー・（例えば未定義の）サービスからのデータを搬送することができる。
【００６５】
本明細書で説明したように、本発明の実施形態は、エラー訂正符号化方法が存在するか又は存在しないかを利用して新たなサービス及び／又はサービスバージョンをシグナリングすることができる。この方法でシグナリングできる新たなサービス及び／又はサービスバージョンの例として、ＬＤＰＣ又はその他の系統的ブロックコード方法、レガシーＲ−Ｓコード（行方向のパリティ）に列方向のパリティを加えて補強するＲ−Ｓプロダクト符号化、並びに入れ子型ストリーム符号化を可能にするための系統的符号化、或いは時間及び／又は周波数におけるトランスポート・ダイバーシティを提供するＰＨＹスタガキャスティングなどの新たな符号化方法の組み込みを挙げることができる。他の様々な種類の新たなサービス及び／又は新たなサービスバージョンも検討されている。
【００６６】
上記の実施形態についてかなり詳細に説明したが、当業者には、上記の開示を十分に理解した時点で数多くの変形及び修正が明らかになるであろう。以下の特許請求の範囲は、全てのこのような変形及び修正を含むと解釈すべきであることが意図される。
なお、この明細書に開示した技術の態様を列挙すれば次のようである。
（アイテム１）
受信機を含む移動体装置へ視聴覚情報を無線方式で送信する方法であって、
第１のエラー訂正符号化方法を使用して第１の視聴覚情報を符号化するステップと、
前記符号化された第１の視聴覚情報と、前記第１のエラー訂正符号化方法に従って符号化されない第２の視聴覚情報と、前記第２の視聴覚情報が前記第１のエラー訂正符号化方法に従って符号化されないことを示す制御情報とを含む複数のパケットを生成するステップと、
前記複数のパケットを無線方式で送信するステップと、
を含み、前記制御情報を前記受信機が使用して、前記第２の視聴覚情報が前記第１のエラー訂正符号化方法に従って符号化されないと判断できるようにすることにより、前記第２の視聴覚情報が前記第１の視聴覚情報とは異なるサービスバージョンを含むことを前記受信機に示す、
ことを特徴とする方法。
（アイテム２）
前記第１のエラー訂正符号化方法が畳み込み符号化方法である、
ことを特徴とするアイテム１に記載の方法。
（アイテム３）
第２のエラー訂正符号化方法を使用して前記第２の視聴覚情報を符号化するステップをさらに含む、
ことを特徴とするアイテム１に記載の方法。
（アイテム４）
前記第２のエラー訂正符号化方法が系統的ブロック符号化方法である、
ことを特徴とするアイテム３に記載の方法。
（アイテム５）
前記制御情報が、前記複数のパケットのうちの前記第１及び第２の視聴覚情報とは異なる１又はそれ以上のパケット内に存在する、
ことを特徴とするアイテム１に記載の方法。
（アイテム６）
前記第１の視聴覚情報の少なくとも一部及び前記第２の視聴覚情報の少なくとも一部が、前記複数のパケットのうちの少なくとも１つのパケット内にともに存在する、
ことを特徴とするアイテム１に記載の方法。
（アイテム７）
移動体装置へ視聴覚情報を無線方式で送信するためのシステムであって、
視聴覚情報を記憶するためのメモリと、
前記メモリに結合された送信論理回路と、
を備え、前記送信論理回路が、
第１のエラー訂正符号化方法を使用して第１の視聴覚情報を符号化し、
前記符号化された第１の視聴覚情報と、前記第１のエラー訂正符号化方法に従って符号化されない第２の視聴覚情報と、前記第２の視聴覚情報が前記第１のエラー訂正符号化方法に従って符号化されないことを示す制御情報とを含む複数のパケットを生成する、
ように構成され、
前記複数のパケットを前記移動体装置へ無線方式で送信するための、前記送信論理回路に結合された送信機をさらに備え、
前記制御情報を前記移動体装置が使用して、前記第２の視聴覚情報が前記第１のエラー訂正符号化方法に従って符号化されないと判断できるようにすることにより、前記第２の視聴覚情報が前記第１の視聴覚情報とは異なるサービスバージョンを含むことを前記移動体装置に示す、
ことを特徴とするシステム。
（アイテム８）
移動体装置へ無線方式で送信するためのパケット化視聴覚情報を生成するためのシステムであって、
第１のエラー訂正符号化方法を使用して第１の視聴覚情報を符号化し、
前記符号化された第１の視聴覚情報と、前記第１のエラー訂正符号化方法に従って符号化されない第２の視聴覚情報と、前記第２の視聴覚情報が前記第１のエラー訂正符号化方法に従って符号化されないことを示す制御情報とを含む複数のパケットを生成する、
ように構成された送信論理回路を備え、
前記複数のパケットが、前記移動体装置へ無線方式で送信されるように構成され、
前記制御情報を前記移動体装置が使用して、前記第２の視聴覚情報が前記第１のエラー訂正符号化方法に従って符号化されないと判断できるようにすることにより、前記第２の視聴覚情報が前記第１の視聴覚情報とは異なるサービスバージョンを含むことを前記移動体装置に示す、
ことを特徴とするシステム。
（アイテム９）
前記第１のエラー訂正符号化方法が畳み込み符号化方法である、
ことを特徴とするアイテム８に記載のシステム。
（アイテム１０）
前記送信論理が、第２のエラー訂正符号化方法を使用して前記第２の視聴覚情報を符号化するようにも構成される、
ことを特徴とするアイテム８に記載のシステム。
（アイテム１１）
前記第２のエラー訂正符号化方法が系統的ブロック符号化方法である、
ことを特徴とするアイテム１０に記載のシステム。
（アイテム１２）
前記制御情報が、前記複数のパケットのうちの前記第１及び第２の視聴覚情報とは異なる１又はそれ以上のパケット内に存在する、
ことを特徴とするアイテム８に記載のシステム。
（アイテム１３）
前記第１の視聴覚情報の少なくとも一部及び前記第２の視聴覚情報の少なくとも一部が、前記複数のパケットのうちの少なくとも１つのパケット内にともに存在する、
ことを特徴とするアイテム８に記載のシステム。
（アイテム１４）
移動体装置へ視聴覚情報を無線方式で送信するためのパケットを生成するためのプログラム命令を記憶するコンピュータ可読記憶媒体であって、前記プログラム命令が、
第１のエラー訂正符号化方法を使用して第１の視聴覚情報を符号化し、
前記符号化された第１の視聴覚情報と、前記第１のエラー訂正符号化方法に従って符号化されない第２の視聴覚情報と、前記第２の視聴覚情報が前記第１のエラー訂正符号化方法に従って符号化されないことを示す制御情報とを含む複数のパケットを生成する、
ように実行可能であり、
前記複数のパケットが、前記移動体装置へ無線方式で送信されるように構成され、
前記制御情報を前記移動体装置が使用して、前記第２の視聴覚情報が前記第１のエラー訂正符号化方法に従って符号化されないと判断できるようにすることにより、前記第２の視聴覚情報が前記第１の視聴覚情報とは異なるサービスバージョンを含むことを前記移動体装置に示す、
ことを特徴とするコンピュータ可読記憶媒体。
（アイテム１５）
移動体装置において視聴覚情報を受信して提示する方法であって、
第１のエラー訂正符号化方法を使用して符号化された第１の視聴覚情報と、前記第１のエラー訂正符号化方法を使用して符号化されない第２の視聴覚情報と、前記第２の視聴覚情報が前記第１のエラー訂正符号化方法に従って符号化されないことを示す制御情報とを含む複数のパケットを無線方式で受信するステップと、
前記第２の視聴覚情報が前記第１のエラー訂正符号化方法に従って符号化されないことを前記制御情報に基づいて判断するステップと、
前記第２の視聴覚情報が前記第１のエラー訂正符号化方法に従って符号化されないことにより、前記第２の視聴覚情報が前記第１の視聴覚情報とは異なるサービスバージョンを含むと判断するステップと、
前記視聴覚情報の少なくとも一部を前記移動体装置上に提示するステップと、
を含むことを特徴とする方法。
（アイテム１６）
前記第１のエラー訂正符号化方法が畳み込み符号化方法である、
ことを特徴とするアイテム１５に記載の方法。
（アイテム１７）
前記第２の視聴覚情報が第２のエラー訂正符号化方法を使用して符号化される、
ことを特徴とするアイテム１５に記載の方法。
（アイテム１８）
前記第２のエラー訂正符号化方法が系統的ブロック符号化方法である、
ことを特徴とするアイテム１７に記載の方法。
（アイテム１９）
前記制御情報が、前記複数のパケットのうちの前記第１及び第２の視聴覚情報とは異なる１又はそれ以上のパケット内に存在する、
ことを特徴とするアイテム１５に記載の方法。
（アイテム２０）
前記第１の視聴覚情報の少なくとも一部及び前記第２の視聴覚情報の少なくとも一部が、前記複数のパケットのうちの少なくとも１つのパケット内にともに存在する、
ことを特徴とするアイテム１５に記載の方法。
（アイテム２１）
視聴覚情報を受信して提示するための移動体装置であって、
第１のエラー訂正符号化方法を使用して符号化された第１の視聴覚情報と、前記第１のエラー訂正符号化方法を使用して符号化されない第２の視聴覚情報と、前記第２の視聴覚情報が前記第１のエラー訂正符号化方法に従って符号化されないことを示す制御情報とを含む複数のパケットを無線方式で受信するためのアンテナと、
ディスプレイ及び１又はそれ以上のスピーカと、
前記アンテナ、前記ディスプレイ、及び前記１又はそれ以上のスピーカに結合された受信機論理回路と、
を備え、前記受信機論理回路が、
前記第２の視聴覚情報が前記第１のエラー訂正符号化方法に従って符号化されないことを前記制御情報に基づいて判断し、
前記視聴覚情報が前記第１のエラー訂正符号化方法に従って符号化されないことにより、前記第２の視聴覚情報が前記第１の視聴覚情報とは異なるサービスバージョンを含むと判断し、
前記視聴覚情報の少なくとも一部を１又はそれ以上前記ディスプレイ又は前記１又はそれ以上のスピーカ上に提示する、
ように構成される、
ことを特徴とする移動体装置。
（アイテム２２）
視聴覚情報を受信して処理するためのシステムであって、
第１のエラー訂正符号化方法を使用して符号化された第１の視聴覚情報と、前記第１のエラー訂正符号化方法を使用して符号化されない第２の視聴覚情報と、前記第２の視聴覚情報が前記第１のエラー訂正符号化方法に従って符号化されないことを示す制御情報とを含む、無線方式で送信された複数のパケットを受信するための入力部と、
前記入力部に結合された受信機論理回路と、
を備え、前記受信機論理回路が、
前記第２の視聴覚情報が前記第１のエラー訂正符号化方法に従って符号化されないことを前記制御情報に基づいて判断し、
前記第２の視聴覚情報が前記第１のエラー訂正符号化方法に従って符号化されないことにより、前記第２の視聴覚情報が前記第１の視聴覚情報とは異なるサービスバージョンを含むと判断する、
ように構成され、
前記視聴覚情報がディスプレイ及び１又はそれ以上のスピーカ上に提示されるように構成される、
ことを特徴とするシステム。
（アイテム２３）
前記第１のエラー訂正符号化方法が畳み込み符号化方法であることを特徴とするアイテム２２に記載のシステム。
（アイテム２４）
前記第２の視聴覚情報が第２のエラー訂正符号化方法を使用して符号化される、
ことを特徴とするアイテム２２に記載のシステム。
（アイテム２５）
前記第２のエラー訂正符号化方法が系統的ブロック符号化方法である、
ことを特徴とするアイテム２４に記載のシステム。
（アイテム２６）
前記制御情報が、前記複数のパケットのうちの前記複数のパケットの前記第１及び第２の部分とは異なる１又はそれ以上のパケット内に存在する、
ことを特徴とするアイテム２２に記載のシステム。
（アイテム２７）
前記第１の視聴覚情報の少なくとも一部及び前記第２の視聴覚情報の少なくとも一部が、前記複数のパケットのうちの少なくとも１つのパケット内にともに存在する、
ことを特徴とするアイテム２２に記載のシステム。
（アイテム２８）
視聴覚情報を受信して処理するためのプログラム命令を記憶するコンピュータ可読記憶媒体であって、前記プログラム命令が、
第１のエラー訂正符号化方法を使用して符号化された第１の視聴覚情報と、前記第１のエラー訂正符号化方法を使用して符号化されない第２の視聴覚情報と、前記第２の視聴覚情報が前記第１のエラー訂正符号化方法に従って符号化されないことを示す制御情報とを含む複数のパケットを無線方式で受信し、
前記第２の視聴覚情報が前記第１のエラー訂正符号化方法に従って符号化されないことを前記制御情報に基づいて判断し、
前記第２の視聴覚情報が前記第１のエラー訂正符号化方法に従って符号化されないことにより、前記第２の視聴覚情報が前記第１の視聴覚情報とは異なるサービスバージョンを含むと判断し、
前記視聴覚情報の少なくとも一部を１又はそれ以上ディスプレイ又は１又はそれ以上のスピーカ上に提示する、
ように実行可能である、
ことを特徴とするコンピュータ可読記憶媒体。
【符号の説明】
【００６７】
１００  システム；  １０２  送信システム；  １０４送信論理回路；  
１０６  送信機；  １１２  移動体装置；  １１４  固定装置。
【図１】
0005443480.tif 000002
【図２】
0005443480.tif 000003
【図３】
0005443480.tif 000004
【図４】
0005443480.tif 000005
【図５】
0005443480.tif 000006
【図６】
0005443480.tif 000007
【図７】
0005443480.tif 000008
【図８】
0005443480.tif 000009